【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項1】
支持基板と、
軟磁性体または硬磁性体からなる可動コアを有する揺動体と、
前記揺動体を前記支持基板に対して揺動可能に支持する弾性支持部と、
コイルを周回させた少なくとも1つの固定コアと、
を有する揺動体装置であって、
前記固定コアは、前記弾性支持部の長軸を挟んで両側にある2つの領域のいずれか一方の領域内に、前記2つの領域に亘らないように設けられ、
前記可動コアと前記固定コアは、
前記揺動体の表面と垂直な方向に互いにずらして配置され、且つ
前記コイルに電流を供給することにより前記固定コアの両端部に発生した磁極からの磁界が前記可動コアに駆動力を与える位置に配置されている、
ことを特徴とする揺動体装置。
【請求項2】
前記可動コアと前記固定コアは直列磁気回路を構成していることを特徴とする請求項1記載の揺動体装置。
【請求項3】
前記固定コアの両端部が、可動コアを挟んで対向していることを特徴とする請求項1または2記載の揺動体装置。
【請求項4】
前記固定コアの両端部は前記可動コアと対向し、前記両端部が前記可動コアと対向する面は同一平面内にあることを特徴とする請求項1または2記載の揺動体装置。
【請求項5】
前記弾性支持部は前記揺動体を揺動可能に支持するねじりバネで構成されており、前記可動コアが、前記ねじりバネのねじり軸方向と平行な方向に伸びる前記揺動体の端部に形成されていることを特徴とする請求項3または4記載の揺動体装置。
【請求項6】
前記弾性支持部は前記揺動体を揺動可能に支持するねじりバネで構成されており、前記可動コアが、前記ねじりバネのねじり軸方向と垂直な方向に伸びる前記揺動体の端部に形成されていることを特徴とする請求項3記載の揺動体装置。
【請求項7】
前記弾性支持部は前記揺動体を揺動可能に支持するねじりバネで構成されており、前記可動コアが、前記揺動体と同一平面内で前記ねじりバネのねじり軸方向と垂直な方向に、前記揺動体の端部から伸びる突起状に形成されていることを特徴とする請求項3記載の揺動体装置。
【請求項8】
前記固定コアを複数有しており、該複数の固定コアが前記揺動体に対して前記2つの領域に夫々1つ以上配置され、前記揺動体に形成された前記可動コアと直列磁気回路を形成することを特徴とする請求項5乃至7の何れかに記載の揺動体装置。
【請求項9】
前記固定コアが前記揺動体に対して前記2つの領域のいずれか一方側に1つ以上配置され、前記揺動体に形成された前記可動コアと直列磁気回路を形成することを特徴とする請求項5乃至7の何れかに記載の揺動体装置。
【請求項10】
前記固定コアを複数有しており、該複数の固定コアが前記揺動体に対して前記2つの領域に夫々2つずつ配置され、各々前記揺動体に形成された前記可動コアと直列磁気回路を形成することを特徴とする請求項5乃至7の何れかに記載の揺動体装置。
【請求項11】
前記弾性支持部はねじり振動及び曲げ振動自在な4つのバネで構成されており、夫々一対のバネで構成するねじり振動の2つの中心軸を互いに直交させて前記揺動体を2次元的にねじり可能に弾性支持し、前記可動コアは前記バネの形成方向と揺動体面内で45度ずれて十字型に交差して4つ形成されており、前記固定コアが前記揺動体に形成された前記可動コアと直列磁気回路を形成するように4つ対向配置されていることを特徴とする請求項3記載の揺動体装置。
【請求項12】
支持基板と、
軟磁性体または硬磁性体からなる可動コアを有する揺動体と、
前記揺動体を前記支持基板に対して揺動可能に支持する弾性支持部と、
コイルを周回させた複数の固定コアと、
を有する揺動体装置であって、
前記複数の固定コアは、前記弾性支持部の長軸を挟んで両側にある2つの領域に夫々1つ以上配置され、
前記可動コアと前記固定コアは、
前記揺動体の表面と垂直な方向に互いにずらして配置され、且つ
前記コイルに電流を供給することにより前記固定コアの両端部に発生した磁極からの磁界が前記可動コアに駆動力を与える位置に配置されている、
ことを特徴とする揺動体装置。
【請求項13】
前記揺動体は反射面を有し、光偏向装置として構成されていることを特徴とする請求項1乃至12の何れかに記載の揺動体装置。
【請求項14】
揺動体アクチュエータとして構成されていることを特徴とする請求項1乃至12の何れかに記載の揺動体装置。
【請求項15】
光源と、前記光源から出射された光を偏向する請求項13に記載の光偏向器を少なくとも1つ以上配置した光偏向器または光偏向器群と該光偏向器または光偏向器群により偏向された光の少なくとも一部を投影するレンズとを有することを特徴とする画像表示装置。
【請求項16】
請求項13に記載の光偏向器と光学系と感光体とを少なくとも含み、前記光源からの光を前記光偏向器により走査し、前記光学系により前記光を集光し前記感光体上へ静電潜像を形成することを特徴とする画像形成装置。
【手続補正２】
【補正対象書類名】明細書
【補正対象項目名】００１６
【補正方法】変更
【補正の内容】
【0016】
【課題を解決するための手段及び作用】
上記目的を達成する本発明の揺動体装置は、支持基板と、軟磁性体または硬磁性体からなる可動コアを有する揺動体と、前記揺動体を前記支持基板に対して揺動可能に支持する弾性支持部と、コイルを周回させた少なくとも1つの固定コアとを有する揺動体装置であって、前記固定コアは、前記弾性支持部の長軸を挟んで両側にある2つの領域のいずれか一方の領域内に、前記2つの領域に亘らないように設けられ、前記可動コアと前記固定コアは、前記揺動体の表面と垂直な方向に互いにずらして配置され、且つ前記コイルに電流を供給することにより前記固定コアの両端部に発生した磁極からの磁界が前記可動コアに駆動力を与える位置に配置されていることを特徴とする。また、本発明の揺動体装置は、支持基板と、軟磁性体または硬磁性体からなる可動コアを有する揺動体と、前記揺動体を前記支持基板に対して揺動可能に支持する弾性支持部と、コイルを周回させた複数の固定コアとを有する揺動体装置であって、前記複数の固定コアは、前記弾性支持部の長軸を挟んで両側にある2つの領域に夫々1つ以上配置され、前記可動コアと前記固定コアは、前記揺動体の表面と垂直な方向に互いにずらして配置され、且つ前記コイルに電流を供給することにより前記固定コアの両端部に発生した磁極からの磁界が前記可動コアに駆動力を与える位置に配置されていることを特徴とする。また、本発明の揺動体装置は、軟磁性体または硬磁性体からなる可動コアを有する揺動体と、コイルを周回させた固定コアと、前記揺動体を支持基板に対して揺動可能に支持する弾性支持部とを有する揺動体装置であって、前記可動コアと固定コアとは、揺動体の揺動方向に対し垂直方向にずれて略平行に空隙を介して対向する対向面を夫々有して配置され、前記揺動体が揺動するに伴って前記各々の対向面の前記垂直方向から見た重なり部分の面積が変化するように形成されていることを特徴とする。
【手続補正３】
【補正対象書類名】明細書
【補正対象項目名】００１７
【補正方法】変更
【補正の内容】
【００１７】
上記基本の形態に基づいて、例えば、反射面などを有する揺動体に可動コアを構成し、基板面内方向に磁束が流れる様にする向きにコイル、固定コアを構成し、固定コア、可動コアを揺動方向に平面位置が異なり、互いの対向面が対向するよう配置することにより、基板法線方向へ発生力を有する電磁アクチュエータとできる。そして、可動コアの前記揺動方向の厚さを適切に設定すれば、長ストロークにおいても大きな発生力を得ることができる。また、可動部分への電気的配線を行わないので、配線の断線事故の可能性がなく長寿命の光偏向器等の揺動体装置を構成することができる。